(57)【要約】【課題】枢軸をレバーに挿通させることなく、支持体に固定された枢軸に、レバーを、枢軸の中心軸線と直交する方向から装着しうるようにすることにより、レバーの装着作業を簡単にした椅子を提供する。【解決手段】椅子の適所に設けられ、作動状態と不作動状態とに切り替えられることにより、椅子のいずれかの可動部を制御する被操作部材と、座７に支持された枢軸２８と、基端部に開口部２４ａを有する弾性把持部２４が設けられ、弾性把持部２４を、枢軸２８に外嵌することにより、枢軸２８に回動可能として支持され、枢軸２８の中心軸線と直交する方向に着脱可能としたレバー２２と、レバー２２と被操作部材とを連係するボーデンケーブルとを備えるものとする。【選択図】  図４
2014068763.tif 000002
【特許請求の範囲】
【請求項１】
脚体と、
前記脚体に支持された座と、
椅子の適所に設けられ、作動状態と不作動状態とに切り替えられることにより、椅子のいずれかの可動部を制御する被操作部材と、
前記座に支持された枢軸と、
開口部を有する弾性把持部が基端部に設けられ、前記弾性把持部を、前記枢軸に外嵌することにより、前記枢軸に回動可能として支持され、前記枢軸の中心軸線と直交する方向に着脱可能としたレバーと、
前記レバーと被操作部材とを、前記レバーの枢軸回りの回動により、前記被操作部材を作動状態と不作動状態とに切り替えできるように連係する連係手段
とを備えることを特徴とする椅子。
【請求項２】
座を、脚体に支持された座支持部材と、座支持部材に支持された座板とを備えるものとし、前記座支持部材の側部に、上下方向に開口する空所を設け、この空所内に、前後方向を向く枢軸を設け、この枢軸に、レバーの弾性把持部を外嵌し、前記空所の下端より下方に延出したレバーの下端に、外側方を向く操作部を設け、前記空所の上端を、座板によって覆った請求項１記載の椅子。
【請求項３】
座支持部材の外側部下面に、空所と連通し、かつ外側方と下方、またはそのいずれか一方のみに開口する横向き空所を設け、この横向き空所に、レバーの操作部を収容した請求項２記載の椅子。
【請求項４】
枢軸の中心軸線の延長線と直交する方向に互いに拡開する１対の案内面を有する拡張案内部材を、前記枢軸の一端に連続するようにして支持体に支持させ、レバーにおける弾性把持部の開口部を、前記延長線と直交する方向より前記両案内面に沿って押し入れることにより、前記弾性把持部を、前記枢軸の直径より拡開させ、かつ拡開させた状態で、前記枢軸側に移動させることにより、前記枢軸に外嵌させうるようにした請求項１〜３のいずれかに記載の椅子。
【発明の詳細な説明】
【技術分野】
【０００１】
本発明は、回動式のレバーが設けられた椅子に関する。
【背景技術】
【０００２】
椅子には、座の高さ調節装置、背凭れの傾動をロックするロック装置、背凭れの復帰回動用の付勢力を調節する調節装置等の各種の被操作部材を操作する操作手段として回動式のレバーが設けられている。
このような操作手段におけるレバーの取付構造としては、次に示す特許文献に開示されているようなものがある。
【先行技術文献】
【特許文献】
【０００３】
【特許文献１】特公平０２−０５８９２４号公報
【特許文献２】実公平０５−０４０７５９号公報
【特許文献３】実公平０５−０４０７６０号公報
【特許文献４】特開平１１−０５６５１６号公報
【特許文献５】特開２００２−１１９３５８号公報
【特許文献６】特開２００８−０１８１９２号公報
【特許文献７】特開２００８−１８３０７４号公報
【特許文献８】特開２０１０−０９９４４５号公報
【発明の概要】
【発明が解決しようとする課題】
【０００４】
上記特許文献１に開示される椅子では、操作部材としての左右方向のロッドの基端部が、上下方向を向く基台の側板に、左右方向を向くように開口された嵌合孔に、回動可能に嵌合している。
着座者による操作の簡便性を高めるため、ロッドの自由端を長くすると、ロッドの回動半径が大きくなる分、嵌合孔の周縁を削るような動作をすることになり、経年使用による劣化が著しい。
【０００５】
特許文献２〜４に開示される椅子では、操作部材としてのレバーが、座（クッションなどの着座部本体）と一体化される座支持板に設けられた、下向きの開口部内に設けられた、前後方向の枢軸回りに枢支される構造が採られている。
座によって、レバーは完全に閉塞されるが、枢軸とレバーの挿通孔との位置を合わせながら、相互の取付作業を行わねばならず、作業性に課題がある。また、座を座支持板に取付けてしまうと、レバーの取付けができなくなる。
【０００６】
文献５に開示される椅子では、座に固定された座受けに、更に固定される操作支持フレームに、操作部材としてのレバーを枢支しているため、レバーの枢軸やワイヤの端部が露出しており、破損や誤作動の虞がある。
文献６〜８に開示される椅子では、座を前後動可能に支持する座支持フレームに、ユニット化された操作部材としてのレバーが取付けられているが、文献５に開示されている椅子と同様に、外部への露出範囲が大きいことから、破損や誤作動の虞がある。
【０００７】
本発明は、上記問題に鑑みてなされたもので、枢軸をレバーに挿通させることなく、支持体に固定された枢軸に、レバーを、枢軸の中心軸線と直交する方向から装着しうるようにすることにより、レバーの装着作業を簡単にした椅子を提供することを目的としている。
【課題を解決するための手段】
【０００８】
本発明によると、上記課題は、次の各項のようにして解決される。
（１）脚体と、前記脚体に支持された座と、椅子の適所に設けられ、作動状態と不作動状態とに切り替えられることにより、椅子のいずれかの可動部を制御する被操作部材と、前記座に支持された枢軸と、開口部を有する弾性把持部が基端部に設けられ、前記弾性把持部を、前記枢軸に外嵌することにより、前記枢軸に回動可能として支持され、前記枢軸の中心軸線と直交する方向に着脱可能としたレバーと、前記レバーと被操作部材とを、前記レバーの枢軸回りの回動により、前記被操作部材を作動状態と不作動状態とに切り替えできるように連係する連係手段とを備えるものとする。
【０００９】
このような構成によると、座に枢軸を支持させた後に、レバーにおける弾性把持部を、枢軸に、その中心軸線と直交する方向から簡単に装着することができるので、レバーを座に枢着する際に、枢軸を座やレバーに設けた軸孔に軸線方向に挿通させる必要がなく、レバーの装着作業を簡単にすることができる。
【００１０】
（２）上記(１)項において、座を、脚体に支持された座支持部材と、座支持部材に支持された座板とを備えるものとし、前記座支持部材の側部に、上下方向に開口する空所を設け、この空所内に、前後方向を向く枢軸を設け、この枢軸に、レバーの弾性把持部を外嵌し、前記空所の下端より下方に延出したレバーの下端に、外側方を向く操作部を設け、前記空所の上端を、座板によって覆う。
【００１１】
このような構成によると、枢軸とレバーの基端部とが空所内に収容され、外部に露呈することがないので、体裁がよく、しかも、空所の上端が座によって覆われるので、空所内への他物や塵芥の進入を阻止することができ、進入した他物等により、レバーの回動が不円滑になったり、レバーが損傷したりするのを防止することができ、さらに体裁をよくすることができる。
【００１２】
（３）上記(２)項において、座支持部材の外側部下面に、空所と連通し、かつ外側方と下方、またはそのいずれか一方のみに開口する横向き空所を設け、この横向き空所に、レバーの操作部を収容する。
【００１３】
このような構成によると、レバーの操作部が横向き空所に収容され、座支持部材の下面から下方に突出しないようにするか、またはその突出量を小とすることができるので、体裁がよい。
【００１４】
（４）上記(１)〜(３)項のいずれかにおいて、枢軸の中心軸線の延長線と直交する方向に互いに拡開する１対の案内面を有する拡張案内部材を、前記枢軸の一端に連続するようにして座に支持させ、レバーにおける弾性把持部の開口部を、前記延長線と直交する方向より前記両案内面に沿って押し入れることにより、前記弾性把持部を、前記枢軸の直径より拡開させ、かつ拡開させた状態で、前記枢軸側に移動させることにより、前記枢軸に外嵌させうるようにする。
【００１５】
このような構成によると、座に枢軸と拡張案内部材とが支持された状態で、レバーにおける弾性把持部の開口部を、拡張案内部材の薄肉部分から厚肉部分に向かって押し入れることにより、弾性把持部の開口部の対向縁を、拡張案内部材の両案内面に沿って拡開する方向に摺動させつつ、弾性把持部を、枢軸の直径より拡開させ、次いで、弾性把持部を、拡開させた状態で、拡張案内部材の両案内面に沿って、枢軸側に摺動させて、弾性把持部を枢軸に簡単に装着させることができる。
したがって、レバーを座に枢着させる際に、枢軸を座やレバーに設けた軸孔に軸線方向に挿通させることなく、予め座に装着しておいた枢軸に、レバーを後から、枢軸の中心軸線と直交する方向から簡単に、かつ軽力で装着することができ、レバーの装着作業を簡単にすることができる。
【発明の効果】
【００１６】
本発明によると、枢軸をレバーに挿通させることなく、座に固定された枢軸に、レバーを、枢軸の中心軸線と直交する方向から装着しうるようにすることにより、レバーの装着作業を簡単にした椅子を提供することができる。
【図面の簡単な説明】
【００１７】
【図１】本発明の枢軸へのレバーの取付構造の一実施形態を備える椅子の側面図である。
【図２】椅子の座を斜め前方より見た分解斜視図である。
【図３】図２の一部の拡大分解斜視図である。
【図４】座支持部材におけるレバーの取付時の状態を、一部縦断して、斜め前方より見た拡大分解斜視図である。
【図５】座支持部材の右半部の拡大平面図である。
【図６】レバーを取り付けたときの座支持部材の右側面図である。
【図７】レバーを取り付けたときの座支持部材を、斜め前下方より見た斜視図である。
【図８】レバーを斜め後方より見た斜視図である。
【図９】図５におけるIX−IX線で縦断した座支持部材に、レバーを取り付ける際の、取り付け初期の状態を示す拡大縦断正面図である。
【図１０】図９図示の状態から、レバーを外側方に移動した状態を示す図９と同様の拡大縦断正面図である。
【図１１】図１０図示の状態から、レバーを後方に移動させたときの、座支持部材の図５におけるXI−XI線で縦断した部分の拡大縦断正面図である。
【発明を実施するための形態】
【００１８】
本発明の実施形態を、図面に基づいて説明する。なお、各図において、左右は正面視において言う。
図１は、本発明の枢軸へのレバーの取付構造の一実施形態を備える椅子の側面図であり、この椅子は、先端部にキャスタ１が取付けられた放射方向を向く５本の脚杆２と、それらの中心に立設され、内部に収容されたガススプリング４により伸縮可能な脚柱５とからなる脚体３と、脚柱５の上端に後端部が取付けられた、やや前上方を向く支基６と、支基６の上方に、後述するようにして支持された座７と、支基６内の前向付勢手段(図示略)に連係され、左右方向を向く支軸８の両側端部に前端部が固着された、側面視前向きのＬ字状の左右１対の背凭れ支持杆９と、両背凭れ支持杆９の後端に支持された背凭れ１０とを備えている。
【００１９】
背凭れ１０は、基板である合成樹脂製の上下方向を向く背板１０ａと、その前面を覆う背用クッション材１０ｂとからなっており、座７の後方において起立する起立位置から、一定の範囲を、支軸８を中心として後方に回動しうるようになっている。
【００２０】
支基６は、硬質合成樹脂材からなり、下面が開口する平面視略五角形の
支基本体１１と、その下面の開口部を着脱自在に閉塞する、硬質合成樹脂材からなる下カバー１２とを備えている。
【００２１】
座７は、図１および図２に示すように、前下端部が支基６の前部上面における両側部に、斜め後下方に移動可能として支持され、後部が左右の背凭れ支持杆９における支軸８より僅かに後方に設けた上向き突部９ａの上端部に、左右方向を向く軸９ｂをもって連結された座支持部材１３と、その上面に前後方向に位置調節可能として取り付けられた合成樹脂製の板材からなる座板１４と、その上面と外周面とを覆う座用クション材１５とからなっている。座支持部材１３は、後述するレバー２２の支持体をなしている。
【００２２】
図２に示すように、座板１４は、周囲に上向きの枠状片１４ａを有する、平面視概ね方形の浅皿状をなし、枠状片１４ａにより囲まれた、上下に弾性変形可能な可撓性の着座部１６は、下向き円弧状になだらかに湾曲している。
【００２３】
座支持部材１３は、中央に略方形の空間部１３ａを有する平面視ほぼ方形の枠状をなし、左右方向を向く前後の連結部１９、１９により互いに連結された前後方向を向く左右１対の側枠部２１、２１の上面は、前後方向を向くレール２０、２０をなしている。各側枠部２１の外側の縁には、外側方を向く嵌合突体１７、１７が突設されている。
【００２４】
座支持部材１３における左右のレール２０、２０上に、座板１４の下面両側部に上方に向かって凹入するように設けた前後方向を向く左右１対の嵌合部１８、１８を被嵌し、かつ上記嵌合突体１７を、各嵌合部１８の側面に設けた前後方向を向く外向き凹入溝(図示略)に嵌合することにより、座板１４は、座支持部材１３に、前後方向に摺動可能、かつ上方に剥離不能として装着されている。
座板１４における各嵌合部１８の後部には、座板１４が座支持部材１３に対する前限位置に達したとき、レール２０の後端に当接して、座板１４のそれ以上の前方への移動を阻止するようにした弾性係合爪１８ａが設けられている。
座支持部材１３と座板１４との間には、座板１４を任意の前後位置で座支持部材１３にロックするロック装置が設けられているが、本発明には直接関係しないので、図示および詳細な説明は省略する。
【００２５】
図２〜図７に示すように、座支持部材１３の右方の側枠部２１における前後方向のほぼ中央部には、図８に示すようなレバー２２を取り付けるためのレバー取付部２３が設けられている。
【００２６】
レバー２２は、図８に示すように、上下方向を向く基部２２ａの下端に、外側方を向くほぼ水平板状の操作部２２ｂが連設され、かつ基部２２ａの背面側に、上下方向を向く前後１対の基片２２ｃ、２２ｃが連設された、正面視ほぼＬ字状をなしている。
【００２７】
レバー２２の基端部である前後の基片２２ｃの上端部には、開口部２４ａが操作部２２ｂと同じ外側方を向くようにした、正面視ほぼＣ字状の弾性把持部２４が形成されている。
【００２８】
レバー２２の前後方向の中央部であって、基部２２ａと操作部２２ｂとの内隅部には、図７に示す連係手段であるボーデンケーブル２５におけるワイヤ２５ａの一方の端末を係止するためのワイヤエンド取付部２６が設けられている。
【００２９】
ボーデンケーブル２５は、ワイヤ２５ａと、このワイヤ２５ａが軸線方向に摺動可能として挿通する可撓性のアウターチューブ２５ｂとからなり、アウターチューブ２５ｂの一端を、図７に示すように、座支持部材１３の右方の側枠部２１におけるレバー取付部２３より内側の縁に止着し、そのアウターチューブ２５ｂの一端から引き出したワイヤ２５ａの端末を、レバー取付部２３に取り付けたレバー２２のワイヤエンド取付部２６に係止し、アウターチューブ２５ｂの他端を、椅子の適所に設けられた被操作部材(図示略)の近傍に止着し、そのアウターチューブ２５ｂの他端から引き出したワイヤ２５ａの端末を、被操作部材に止着することにより、レバー２２の回動操作により、被操作部材を作動状態と不作動状態とに切り替え、椅子のいずれかの可動部を制御しうるようになっている。
【００３０】
被操作部材は、例えば、椅子の座の高さ調節装置、より詳しくは、その高さ調節装置におけるガススプリングのプッシュボタンを押動するレバー、背凭れの傾動をロックするロック装置、背凭れの復帰回動用の付勢力を調節する調節装置等の公知のものとすることができ、それらとレバー２２とを、連係手段であるボーデンケーブル２５をもって連係することにより、レバー２２の回動操作により、それぞれ作動状態と不作動状態とに切り替えられるようになっている。
【００３１】
図３および図４に示すように、レバー取付部２３は、右方の側枠部２１を上下方向に貫通する平面視ほぼ方形の前後１対の空所２７、２７と、各空所２７内の後半部に配設された前後方向を向く枢軸２８と、各空所２７内の前半部に、枢軸２８の軸線方向に連続するようにして配設された拡張案内部材２９とを備えている。
【００３２】
右方の側枠部２１の下面には、各空所２７の下端部と連通し、かつ外側方と下方とに開口する横向き空所２７ａが設けられており、この横向き空所２７ａに、空所２７の下端より下方に延出したレバー２２の基部２２ａの下端より外側方を向く操作部２２ｂを収容しうるようになっている。
【００３３】
各空所２７内の後壁２７ｂと内側壁２７ｃとの内隅部には、上下方向を向く平面視方形の突条３０が設けられ、これによって、各空所２７の後半部の左右幅は、各空所２７の前半部の左右幅より狭められている。
【００３４】
枢軸２８と拡張案内部材２９とは、硬質合成樹脂製の座支持部材１３の成形時に一体成形されているが、座支持部材１３とは別部材とし、それを座支持部材１３に固着してもよい。
【００３５】
図４、図９および図１０に示すように、拡張案内部材２９は、各空所２７内の外側壁２７ｄから内下方に向かって傾斜する板状をなし、その先端部上下面に、外側方に向かって上下に拡開する、すなわち、枢軸２８の中心軸線の延長線と直交する方向に互いに拡開する１対の案内面２９ａ、２９ｂを有している。
【００３６】
レバー２２の弾性把持部２４に外力が作用していないときの弾性把持部２４の内面形状は、内径が、枢軸２８の外径と同一か、またはそれより小とした真円とし、弾性把持部２４の開口部２４ａの幅は、拡張案内部材２９の先端部の厚さより大、かつ拡張案内部材２９の基端部の厚さより小としてある。
【００３７】
レバー２２の各部の寸法と、レバー取付部２３の各部の寸法との関係は、次に説明するレバー取付部２３へのレバー２２の取り付け方法が円滑に実施されるような関係としてある。
【００３８】
次に、枢軸２８へのレバー２２の取り付け方法の実施要領について説明する。
図９に示すように、レバー２２の各弾性把持部２４の開口部２４ａが拡張案内部材２９の先端に対峙するように、各基片２２ｃの上端部を前後の各空所２７の前半部に下方より挿入し、次いで、各弾性把持部２４の開口部２４ａの上下の縁を、拡張案内部材２９の上下の案内面２９ａ、２９ｂに沿って摺接させつつ、各弾性把持部２４の開口部２４ａを、拡張案内部材２９の基部に向かって、すなわち、枢軸２８の中心軸線の延長線と直交する方向に向かって押し入れる。
【００３９】
すると、各弾性把持部２４は漸次拡開するように弾性変形させられ、図１０に示すように、レバー２２の基部２２ａが、空所２７の外側壁２７ｄの下端に当接したときは、各弾性把持部２４の内径は、枢軸２８の直径より大なる。
【００４０】
次いで、この状態から、弾性把持部２４における開口部２４ａの上下の縁を、拡張案内部材２９の上下面に沿って案内させつつ、レバー２２を後方に摺動させると、弾性把持部２４は、拡張案内部材２９から後方に離れた時点で縮径し、図１１に実線で示すように、枢軸２８を適度の弾性力をもって把持し、レバー２２は、枢軸２８に回動可能として支持される。
【００４１】
次いで、レバー２２のワイヤエンド取付部２６に、ボーデンケーブル２５におけるワイヤ２５ａの一端を係止させ、ワイヤ２５ａの他端を被操作部材に係止させるて、ワイヤ２５ａを緊張させると、被操作部材側に設けた付勢手段(図示略)により、レバー２２は、図１１に２点鎖線で示すように、突条３０によって左右幅を縮められた空所２７の後半部の内側壁２７ｃ、またはその下端部に設けたストッパ部３１に基片２２ｃが当接する不作動位置に停止させられる。
【００４２】
レバー２２が、図１１に２点鎖線で示す不作動位置に停止している状態から、レバー２２の操作部２２ｂを、枢軸２８を中心として上向きに回動させて、レバー２２を、図１１に実線で示す作動位置に位置させることにより、ワイヤ２５ａが牽引され、被操作部材は不作動状態から作動状態へ切り替えられる。
【００４３】
レバー２２が作動位置に位置している状態から、レバー２２の操作部２２ｂから手を離すと、被操作部材に設けられた付勢手段により、ワイヤ２５ａが牽引され、レバー２２は、枢軸２８を中心として、作動位置から図１１に２点鎖線で示す不作動位置まで復帰回動させられ、被操作部材は、作動状態から不作動状態へ切り替えられる。
【００４４】
このようにして、レバー２２を、支持体である座支持部材１３に取り付けると、レバー２２を座支持部材１３に枢着させる際に、枢軸２８を座支持部材１３やレバー２２に設けた軸孔(図示略)に挿通させることなく、予め座支持部材１３に装着しておいた枢軸２８に、レバー２２を後から、枢軸２８の中心軸線と直交する方向から簡単に、かつ軽力で装着することができ、レバー２２の装着作業を簡単にすることができる。
【００４５】
図１１に実線および２点鎖線で示すように、弾性把持部２４が、枢軸２８に正規に外嵌しているときは、弾性把持部２４の内側の縁部は、突条３０によって左右幅を縮められた空所２７の後半部の内側壁２７ｃに近接または当接するようにしてあり、それによって、弾性把持部２４が、枢軸２８から内側方に外れるのを阻止しうるようにしてある。 
【００４６】
図１１に２点鎖線で示すように、レバー２２が不作動位置に位置している状態において、レバー２２を、枢軸２８の中心軸線に沿って前方へ移動させようとすると、弾性把持部２４における開口部２４ａの上縁部の前面が、移動阻止面である拡張案内部材２９の後面に当接して、レバー２２の枢軸２８から前方への移動が阻止される。
レバー２２の枢軸２８から後方への移動は、空所２７の後壁２７ｂによって阻止される。
【００４７】
レバー２２を枢軸２８から外したい場合は、レバー２２を、図１１に実線で示す作動位置まで回動させた後、枢軸２８の中心軸線に沿って前方に移動させる。
その初期には、弾性把持部２４における開口部２４ａの前縁が、拡張案内部材２９の後面に当接して、レバー２２の枢軸２８から前方への移動に抵抗力が付与されるが、その抵抗力より大きい力をもって、レバー２２を前方に移動させると、弾性把持部２４の開口部２４ａの上下の縁の前端が、拡張案内部材２９の上下面に乗り上がって、弾性把持部２４が上下方向に拡開させられ、レバー２２は、図１０に示すように、拡張案内部材２９側に移動させることができる。
このときのレバー２２を前方への移動を円滑に行えるようにするためには、拡張案内部材２９の後面の縁、または弾性把持部２４における開口部２４ａの前縁を面取りするか、または円弧状面としておくのが望ましい。
【００４８】
その後、レバー２２を、図１０に示す状態から、図９に示すように、内下方に押動することにより、レバー２２を、拡張案内部材２９から簡単に外すことができる。
【００４９】
図１および図２に示すように、座支持部材１３における前後の空所２７、２７の上端は、座板１４によって覆われているので、各空所２７内への他物や塵芥の進入を阻止することができ、進入した他物等により、レバー２２の回動が不円滑になったり、レバー２２が損傷したりするのを防止することができ、さらに体裁をよくすることができる。
【００５０】
この実施形態においては、支持体である座支持部材１３に、枢軸２８と拡張案内部材２９とが支持された状態で、レバー２２における弾性把持部２４の開口部２４ａを、拡張案内部材２９の薄肉部分から厚肉部分に向かって押し入れることにより、弾性把持部２４の開口部２４ａの対向縁を、拡張案内部材２９の両案内面２９ａ、２９ｂに沿って拡開する方向に摺動させつつ、弾性把持部２４を、枢軸２８の直径より拡開させ、次いで、拡開させた状態で、弾性把持部２４を、拡張案内部材２９の両案内面２９ａ、２９ｂに沿って、枢軸２８側に摺動させて、弾性把持部２４を枢軸２８に簡単に装着させることができる。
したがって、レバー２２を座支持部材１３に枢着する際に、枢軸２８を座支持部材１３やレバー２２に設けた軸孔(図示略)に軸線方向に挿通させることなく、予め座支持部材１３に装着しておいた枢軸２８に、レバー２２を後から、枢軸２８の中心軸線と直交する方向から簡単に、かつ軽力で装着することができ、レバー２２の装着作業を簡単にすることができる。
【００５１】
また、レバー２２の弾性把持部２４が、拡張案内部材２９側へ移動しようとすると、その側面が拡張案内部材２９の移動阻止面に当接して、その方向への移動が阻止されるので、レバー２２の弾性把持部２４が、いたずらに枢軸２８から拡張案内部材２９側へ移動して、枢軸２８から外れるといったおそれをなくすことができる。
【００５２】
さらに、枢軸２８と拡張案内部材２９とレバー２２の基端部２２ａとが空所２７内に収容され、外部に露呈することがないので、体裁がよい。
【００５３】
椅子における各種のレバーおよびその取付構造を、上記のような構成とすると、椅子におけるあらゆる用途のレバーの装着作業を簡単にすることができる。
【００５４】
また、椅子だけでなく、テーブルその他の家具においても、支持体としての構造体の一部に、上記と同様のレバー２２を、上記と同様にして取り付け、そのレバー２２と、適所に設けた、例えば、天板の高さ調節装置、天板の折畳み用のロック装置等の各種の被操作部材(いずれも図示略)とを、レバー２２の回動操作により、上記被操作部材を作動状態と不作動状態とに切り替えるように、上記ボーデンケーブル２５、またはその他の構成の連係手段をもって互いに連係することにより、家具におけるあらゆる用途のレバーの装着作業を簡単にすることができる。
【００５５】
本発明は、上記実施形態のみに限定されるものではなく、特許請求の範囲を逸脱しない範囲で、例えば次のような変形した態様での実施が可能である。
(１)  枢軸２８と、拡張案内部材２９とを、座支持部材１３における空所２７内に設けるのではなく、例えば、座支持部材１３の外側面等に設ける。
(２)  レバー２２の弾性把持部２４の内面形状を、真円ではなく、方形、または多角形等とする。
(３)  レバー２２における弾性把持部２４の開口部２４ａの位置は、拡張案内部材２９に対して差し込む方向に合わせて、例えば真上、または内側方等とする。
(４)  空所２７における突条３０を省略し、かつレバー２２における弾性把持部２４を、弾性変形させつつ、その開口部２４ａを拡開させて、枢軸２８に、その中心軸線と直交する方向から着脱可能とする。
(５)  枢軸２８を、左右方向を向くように形成する。この場合、枢軸２８は、支基６との位置関係と連係手段としてのボーデンケーブル２５の引き方向を考慮して、座板１４の前部、または後部に設けるのが望ましい。
(６)  横向き空所２７ａは、空所２７と連通し、かつ外側方または下方のいずれか一方のみに開口するように座支持部材１３の外側部下面に設け、この横向き空所２７ａに、レバー２２の操作部２２ｂを収容する。
【符号の説明】
【００５６】
１  キャスタ
２  脚杆
３  脚体
４  ガススプリング
５  脚柱
６  支基
７  座
８  支軸
９  背凭れ支持杆
１０  背凭れ
１０ａ背板
１０ｂ背用クッション材
１１  支基本体
１２  下カバー材
１３  座支持部材(支持体)
１４  座板
１４ａ枠状片
１５  座用クッション材
１６  着座部
１７  嵌合突体
１８  嵌合部
１８ａ弾性係合爪
１９  連結部
２０  レール
２１  側枠部
２２  レバー
２２ａ基部
２２ｂ操作部
２２ｃ基片
２３  レバー取付部
２４  弾性把持部
２４ａ開口部
２５  ボーデンケーブル(連係手段)
２５ａワイヤ
２５ｂアウターチューブ
２６  ワイヤエンド取付部
２７  空所
２７ａ横向き空所
２７ｂ後壁
２７ｃ内側壁
２７ｄ外側壁
２８  枢軸
２９  拡張案内部材
２９ａ、２９ｂ  案内面
３０  突条
３１  ストッパ部
【図１】
2014068763.tif 000003
【図２】
2014068763.tif 000004
【図３】
2014068763.tif 000005
【図４】
2014068763.tif 000006
【図５】
2014068763.tif 000007
【図６】
2014068763.tif 000008
【図７】
2014068763.tif 000009
【図８】
2014068763.tif 000010
【図９】
2014068763.tif 000011
【図１０】
2014068763.tif 000012
【図１１】
2014068763.tif 000013